(57)【要約】  本発明は靴製造用ラストであって、ヒトの足形状と同じ形状のラストを利用して着用した際にはき心地によい靴を製造することを目的とし、足の生化学的データを用いて歩行時の足にかかる圧力の変化や足の形状の変化を検査した。本発明は、ヒトの足形状と同形状であることを特徴とする靴製造用ラストであって、具体的には、ラスト（１０）の前足部（２１）の先端一側に、ヒトの足の親指形状と対応して前方及び上方に湾曲して突出するよう形成された第１突設部（１１）および、ヒトの足指のうち、足第２指乃至足第５指の各突出形状と対応して前方に屈曲するよう形成された凹凸部（１２）を有することを特徴とする。【選択図】図１
2012505701.tif 000002
【特許請求の範囲】
【請求項１】
靴を製造するためのラストであって、ヒトの足形状と同形状であることを特徴とする靴製造用ラスト。
【請求項２】
前記ラスト（１０）の前足部（２１）の先端一側に、ヒトの足の親指形状と対応して前方及び上方に湾曲して突出するよう形成された第１突設部（１１）を有することを特徴とする請求項１記載の靴製造用ラスト。
【請求項３】
前記ラスト（１０）の前足部（２１）の先端に、前記第１突設部（１１）で延長形成され、ヒトの足指のうち、足第２指乃至足第５指の各突出形状と対応して前方に屈曲するよう形成された凹凸部（１２）を有することを特徴とする請求項１記載の靴製造用ラスト。
【請求項４】
前記ラスト（１０）の中足部（２２）の内側面に、ヒトの中足部内側面より外側に突出した骨と対応して外側方向にアーチ状に突出するよう形成された第２突設部（１３）を有することを特徴とする請求項１記載の靴製造用ラスト。
【請求項５】
前記ラスト（１０）の中足部（２２）の底内側面に、ヒトの中足部の底でアーチ状にへこんだ部分と対応してアーチ状にへこむよう形成された第１凹部（１４）を有することを特徴とする請求項１記載の靴製造用ラスト。
【請求項６】
前記ラスト（１０）の前足部（２１）と中足部（２２）との間の境界部分に、ヒトの足指と中足部間において横方向にへこんだ部分と対応して横にへこむよう形成された第２凹部（１６）を有することを特徴とする請求項１記載の靴製造用ラスト。
【請求項７】
前記ラスト（１０）の前足部（２１）と中足部（２２）との間に、ヒトの足裏において足第３指と足第４指の各中足骨間のへこんだ部分と対応してへこむよう形成された第３凹部（１５）を有することを特徴とする請求項１記載の靴製造用ラスト。
【請求項８】
前記ラスト（１０）の足の甲部分に、ヒトの足の甲部分でアーチ状に上方向に突出した骨と対応してアーチ状に上方向に突出するよう形成された第３突設部（１７）を有することを特徴とする請求項１記載の靴製造用ラスト。
【発明の詳細な説明】
【技術分野】
【０００１】
本発明は、靴やレジャー用スポーツシューズなどの各種靴をヒトの足形状に適した形状に製造するための靴製造用ラストに関する。
【背景技術】
【０００２】
一般的に、靴を製造するために使われるラストは、足の形状になっており、その材質としては、金属や木材又は合成樹脂が挙げられる。
【０００３】
ラストを利用して靴を製造する際には、ラストの外面を靴の外形をなす甲皮で覆い、その状態で甲皮の下端に外側から靴底を付着させた後、ラストを分離させる方法が用いられる。このようにすると、靴内部にラストの形状に対応する空間が形成されるので、足の形状に合った靴が製造できる。
【０００４】
しかし、従来ラストは、ヒトの足における細かい屈曲部分、例えば、足指部分やくるぶし部分等の屈曲部分が省略されており、足の全体的な形状を概略的に反映するよう製造されている。そのため、着用者が靴を購入して初めて履く場合、履き心地がよくないという不便な問題点があった。
【０００５】
従来のラストが、ヒトの足形状を概略的に反映するよう製造されてきた理由の一つとして、生産者中心の大量生産方式が堅持されてきたことが挙げられる。靴を着用した際のフィット感は考慮せず、ただ作りやすく、足の形態に近似した形態のラストを用いて靴を製造しているため、前述したような問題点が生じている。
【０００６】
人体工学において、ヒトの足は２３対の骨と筋肉と関節、靭帯、神経、血管で構成され、部位上では、前足部と中足部、後足部に分けられる。
【０００７】
前足部は足指を含んだ５個の中足骨により形成され、中足部はアーチ状の形状を有し、後足部は踵骨により形成される。歩行時、前足部と後足部は非常に高い圧力を受けることとが知られている。
【０００８】
また、中足指に関しては、足第１指から足第３指に該当する１から３番までの中足骨は距骨に繋がり、足第４指から足第５指に該当する４から５番までの中足骨は踵骨に繋がり、それぞれがさらに脛骨に繋がる構造になっている。
【０００９】
このように、中足骨はアーチを構成するように、靭帯と神経で支えて横アーチを構成し、足底筋膜で足裏の縦アーチを構成しており、このような縦アーチと横アーチを形成する筋肉と骨の相互作用を通じて身体安定性及び歩行時の衝撃吸収及び身の重さを分散させるようになっている。
【００１０】
ところが、足は毎日の多く衝撃にさらされるので、足底筋膜炎、指間神経腫のような疾患を患うことがある。このような疾患により、アーチを支持する足底筋膜に炎症を起こす、あるいは、中足骨間の神経の圧迫によって痛症が生じるなど、足に不具合生じる場合もあった。このような不具合は、足の形態に合わない靴を着用することによって生じるといえる。
【００１１】
これについて、最近、靴に関連した研究を調べてみると、アーチを支持するインソールあるいは高い衝撃にさらされる前足部と後足部のパッドに関する研究が行われていた。靴に設けられるインソールに関する研究をみると、踵と前足部及びアーチの影響に関する研究が行われているが、これは主に衝撃緩和及び足の楽さについての研究である。
【００１２】
例えば、Ｊａｓｏｎ  Ｔａｋ−Ｍａｎ  ｅｔ．  ａｌ．（２００７）の研究において、使用された有限要素モデルを確認すると、歩行時に発生する圧力の移動経路を断面として確認することができ、アーチの支持を通じて圧力が分散され、足の全体の圧力が減少している。また、持続的な圧力が与えられた時、アーチを支持することによって、足の変形が殆どないことが分かる（Ｇ．  Ｆ．  Ｋｏｇｌｅｒ  ｅｔ．  ａｌ．  １９９５）。また、歩行時、足裏にかかる圧力を調べてみると、前足部と後足部の圧力がもっと高いことが報告されている。（李チァンミンｅｔ．  ａｌ  ２００５）
【００１３】
このような内容に基づいて、靴に関する多くの研究が行われてきた。他の研究の場合、素材又は研究方法の差はあるが、いずれも圧力の発生部位及びアーチ状を通じて足を楽にさせることができるという共通した研究であり、これらの研究は主に靴の内部に設けるインソールに関するものであって、ラストに関する研究は行われていないのが実情である。
【００１４】
既存のラストの場合、ラストの形態は足形状を概略的に反映させたのみであり、足裏の形状及び足指、足の甲の形状が具体的に反映されていないので、靴内部の底が足裏と密着せず、靴内部での足の動きが悪くなり、履き心地が悪くなる。
【００１５】
前述したようなラストの問題点を改善するために、アーチを支持する、あるいは前足部と後足部にかかる圧力を減少させるためのパッドであるインソールを利用することにより履き心地の悪さを解消する試みが従来よりなされてきたが、ラストの形態がインソール及びミッドソールの形態と同様に製造されないため、履き心地が悪くなる問題点があった。
【発明の概要】
【発明が解決しようとする課題】
【００１６】
上記のような問題点を改善するためには、靴の内部空間を足の形状により近似させながらフィット感を高める必要がある。これに本発明者は、足の解剖学的なデータと人体工学的なデータを根拠にするラストを製造することによって前述した問題点を解決することができることを知見して本発明を完成することに至った。即ち、本発明の目的は、人体の足形状と同一の形状のラストを利用して靴を製造することによって、履き心地がいい靴を製造するための、靴の製造用ラストを提供するものである。
【課題を解決するための手段】
【００１７】
本発明者は、上記の課題を解決するために鋭意研究した結果、靴の種類によってラストの種類が異なるという点、また、足が靴内部で固定される選手用インラインスケート又はサイクリングシューズのような場合を除いた靴のフィット感を高めるためには、靴底と足裏とを密着させながら、靴内部で足を動きやすくさせることが大切であることを考え出した。それを具現するためには、全ての靴の構成品が同様な形状に製造されなければならない。
【００１８】
ラスト製造時にヒトの足首部分におけるくるぶしの突出部分を形状化しても、靴の形状が微妙に変更されることが判明し、上記目的を十分に果たすことができないことが分かった。
【００１９】
従って、靴のフィット感にもっと大きな影響を与える足指と足裏アーチ状に重点をおいて、フィット感を最大限に高めながら靴内部で足が動きやすくなるようにラストを製造した。
【発明の効果】
【００２０】
本発明のように足の形状により近似した形態のラストを製造する場合、靴内部空間が足の形状と殆ど同様であり、靴の着用時、素足のような感じを与えることができので、履き心地がよく、長時間履いても最初の安定した履き心地がそのまま維持される。
【００２１】
さらに、足裏の土踏まずの凹部分或いは中足骨の凹部分及び足指と中足骨間の凹部分は、靴の着用時、殆ど完璧に靴内部において固定され、素足で活動をしているような感覚で履き心地がよいため、長時間靴を履いて活動をする人々の足の疾患を予防することができる。
【図面の簡単な説明】
【００２２】
【図１】本発明の実施例によるラストの斜視図である。
【図２】本発明の実施例によるラストの前足部を示した部分斜視図である。
【図３】本発明の実施例によるラストの平面図である。
【図４】本発明の実施例によるラストの側面図（足の親指側）である。
【図５】本発明の実施例によるラストの底面観測斜視図である。
【図６】本発明の実施例によるラストの前足部の底を示した底面図である。
【発明を実施するための形態】
【００２３】
本発明は、足の人体解剖学的データを通じて歩行時における足にかかる圧力及び形態変化に基づいて完成した。本発明の構成は、ヒトの足形状をそのままかたどったラスト（１０）を特徴とし、具体的には靴製造用ラスト（１０）の前足部（２１）の先端一側にヒトの足の親指形状と対応して前方及び上方に湾曲して形成された第１突設部（１１）、前記ラストの前足部先端に足第２指乃至足第５指の各突出形状と対応して形成された凹凸部（１２）、前記ラストの中足部（２２）内側面にヒトの中足部内側面より外側に突出した骨と対応して形成された第２突設部（１３）、前記ラストの中足部の底内側面にヒトの中足部の底でアーチ状にへこんだ部分と対応して形成された第１凹部（１４）、前記ラストの前足部と中足部間にヒトの足指と中足部との境界に横方向にへこんだ部分と対応して形成された第２凹部（１６）、前記ラストの前足部と中足部間に足第３指及び足第４指間のへこんだ部分と対応して形成された第３凹部（１５）と、前記ラストの足の甲部分にヒトの足の甲部分から上方向に突出する骨と対応して形成された第３突設部（１７）が選択的に形成された。
【００２４】
以下、添付された図１乃至図６を参照して本発明の好ましい実施形態のラストに関して詳細に説明する。
【００２５】
図１は本発明の実施例によるラストの斜視図であり、図２は本発明の実施例によるラストの前足部を示した部分斜視図であり、図３は本発明の実施例によるラストの平面図であり、図４は本発明の実施例によるラストの足の親指側で観測した側面図であり、図５は発明の実施例によるラストの底面観測斜視図であり、図６は本発明の実施例によるラストの前足部の底を示した底面図である。
【００２６】
図１乃至図６に示したように、本発明のラスト（１０）は、ヒトの足形状と同形状に製造され、特に、足指と足裏部分を殆どそのまま形状化したものである。その材質は木材、合成樹脂材、金属材などがあり、他の材質を選択してもよい。
【００２７】
図５のように、前記ラスト（１０）は、前足部（２１）と中足部（２２）及び後足部（２３）に大別される。前足部（２１）は、足指部分と前記足指部分の骨と繋がる５個の中足骨からなり、中足部（２２）は、アーチ状の構造を有する足の中間部分であり、後足部（２３）は踵の骨部分である。
【００２８】
好ましい実施例として、前記ラスト（１０）の前足部（２１）の先端一側にヒトの足の親指形状と対応する形状に突出した第１突部（１１）が形成され、前期第１突設部（１１）は、図３及び図４に示したように、前方及び上方に湾曲して突出する。
【００２９】
第１突設部（１１）が形成されたラスト（１０）を利用して靴を製造すれば、靴内部の前方部分に前方と上方に湾曲した空間が形成されるので、足の親指に与えられる圧迫感を最小限とするとともにフィット感が向上し、長期的には外反母趾症のような疾患を予防することができると期待される。
【００３０】
図１乃至図３に示したように、本発明の他の実施例によれば、上記ラスト（１０）の前足部（２１）の）先端には、ヒトの足指のうち、足第２指乃至足第５指の各突出形状と対応するジグザグ形状に湾曲して屈曲した凹凸部（１２）が形成され、前記凹凸部（１２）は、前記第１突設部（１１）と繋がっている。
【００３１】
さらに、具体的に前記凹凸部（１２）は、第１突部（１１）で前方に湾曲して突出した部分へと延長し、相互にジグザグ形状に湾曲して繋がる。
【００３２】
第１突設部（１１）とともに凹凸部（１２）が形成されたラスト（１０）を利用して靴を製造すれば、靴の内部前方に足の親指だけではなく、足第２指から足第５指全部を固定することができる凹凸形態の空間が形成されるので、足の動きを最小化してフィット感を向上させることができる。
【００３３】
図１及び図３に示したように、本発明の他の実施例によれば、上記ラスト（１０）の中足部（２２）内側面には外側方向に突出したアーチ状の第２突設部（１３）が形成され、上記第２突設部（１３）はヒトの中足部の内側面より外側に突出した骨、即ち、足の甲の幅（ｂａｌｌ  ｏｆ  ｆｏｏｔ）と対応する形状である。
【００３４】
第２突設部（１３）が形成されたラスト（１０）を利用して靴を製造する場合、特に、足の甲の幅が広い人でも足の甲の幅に対して圧迫しないので、履き心地がいい、足通しを和らげながらも長期的には足の甲の幅の圧迫によって足の小指が変形することを防止することができる。
【００３５】
図４及び図５に示したように、本発明の他の実施例によれば、前記ラスト（１０）の中足部（２２）の底内側面に、ヒトの中足部の底でアーチ状にへこんだ部分と対応する、上方向に湾曲してへこんだ形状の第１凹部（１４）が形成される。
【００３６】
前記第１凹部（１４）が形成されたラスト（１０）を利用して靴を製造すれば、靴のミッドソールが前記第１凹部（１４）と対応する形態に上方向に突出していることから、履き心地がいいだけではなく、ミッドソール上に安着されるインソールとこれを支持するミッドソールの形態が同様であるので、フィット感が増す。
【００３７】
図１及び図４に示したように、本発明の他の実施例によれば、前記ラスト（１０）の足の甲部分に、ヒトの足の甲部分にアーチ状に上方向に突出された骨と対応する形態にし、湾曲して上方向に突出した第３突設部（１７）が形成される。
【００３８】
足の甲部分に該当する第３突設部（１７）が形成されたラスト（１０）を利用して靴を製造すれば、靴の内側上面に前記第３突設部（１７）と対応する形態に上方向に突出された空間が形成されるので、靴着用時、足の甲を圧迫せず、延いては、紐がある靴の場合、紐を締めても足の甲を均一に締めることが可能となり、フィット感を向上させることができる。
【００３９】
一方、ヒトの足裏には、前記第１凹部（１４）と対応する形態のへこんだ部分だけではなく、前足部（足指）と中足部間に様々な形態にへこんだ部分が形成されており、本発明の目的に基づいて、ラストを製造する際にラストの底面に足裏のへこんだ部分と対応する形態のへこみが形成することが好ましい。
【００４０】
このために図４乃至図６に示したように、本発明のさらに異なる実施例によれば、前記ラスト（１０）の前足部（２１）と中足部（２２）間の境界部分に、ヒトの足指と中足部間に横方向に形成されたへこんだ部分と対応する横方向の第２凹部（１６）が形成される。
【００４１】
前記第２凹部（１６）は、足裏において５本の足指がそれぞれ繋がれる部分が足裏に対してへこむ状態を形状化したもので、即ち、足を基準として横方向に形成されるへこみを形状化したものである（図４乃至図６参照）。
【００４２】
このように第２凹部（１６）が形成されたラスト（１０）を利用して靴を製造すれば、ミッドソールの第２凹部（１６）に該当する部分が横方向に突出するので、足指全体を固定することができ、フィット感を向上させることができる。
【００４３】
本発明のさらに異なる実施例によれば、図６に示したように、前記ラスト（１０）の前足部（２１）と中足部（２２）間にヒトの足裏において足第３指と足第４指の各中足骨間にへこんだ部分と対応する形状のへこみである第３凹部（１５）が形成される。
【００４４】
前述したように、中足骨は、足指骨に該当する足指骨と足根中足関節を繋げる骨として５個の足指骨と一つずつそれぞれ繋がれているので、全部５個で構成されており、足第１指の骨と繋がれた部分を第１中足骨といい、足第５指の骨と繋がれた部分を第５中足骨という。足裏で第１乃至第３中足骨と第４及び第５中足骨間に該当する足第３指と足第４指間にへこみがあり、前記第３凹部（１５）はそのへこみに対応するものである。
【００４５】
このように第３凹部（１５）が形成されたラスト（１０）を利用して靴を製造すれば、前記横方向に形成された第２凹部（１６）とともにミッドソールの前部分が第２及び第３凹部とそれぞれ対応する形態に隆起するので、各足指が動かない、さらに精密かつ安定的に足を固定することができ、フィット感を増大させることができる。
【００４６】
以上の説明は、添付された図面の対応写真の制限された構造に基づいて説明したが、本発明は、例示された実施例の構造とその説明に限られず、上記説明された技術思想によって当業者であれば、必要によって適宜設計変更でき、そのような変更は、請求の範囲内に含まれる。
【産業上の利用可能性】
【００４７】
本発明のように、足の形状と一番近似した形態のラストを製造する場合、靴内部空間が足の形状と殆ど同様になり、靴の着用時、素足のような感じを与えるので、履き心地がいい、長時間履いても最初の履き心地の良さがそのまま維持される。
【符号の説明】
【００４８】
１０・・・ラスト
１１・・・第１突設部
１２・・・凹凸部
１３・・・第２突設部
１４・・・第１凹部
１５・・・第３凹部
１６・・・第２凹部
１７・・・第３突設部
２１・・・前足部
２２・・・中足部
２３・・・後足部
【図１】
2012505701.tif 000003
【図２】
2012505701.tif 000004
【図３】
2012505701.tif 000005
【図４】
2012505701.tif 000006
【図５】
2012505701.tif 000007
【図６】
2012505701.tif 000008
【国際調査報告】
2012505701.tif 000009
2012505701.tif 000010
2012505701.tif 000011
2012505701.tif 000012